(57)【要約】【課題】  照明領域の広角化を確保した上で広角領域の照明時における輝度ムラの低減を図る。【解決手段】  第１の回動位置と第１の回動位置より互いに離隔する第２の回動位置との間で平行に配置された各回動軸を支点としてそれぞれ回動可能とされると共にそれぞれ光を出射する光源と前記光源から出射された光を反射し回動軸の軸方向における両側が開口されたリフレクターとを有する一対の発光体と、発光体を挟んで回動軸の軸方向における両側にそれぞれ配置され光源から出射された光を反射する反射面をそれぞれ有する一対の反射体とを備え、第１の回動位置において、各リフレクターの各開口の少なくとも一部が回動軸の軸方向においてそれぞれ各反射面に重なる状態にされ、第２の回動位置における反射体の反射量が第１の回動位置における反射体の反射量より少なくされた。【選択図】        図２
2013057724.tif 000002
【特許請求の範囲】
【請求項１】
第１の回動位置と前記第１の回動位置より互いに離隔する第２の回動位置との間で平行に配置された各回動軸を支点としてそれぞれ回動可能とされると共にそれぞれ光を出射する光源と前記光源から出射された光を反射し前記回動軸の軸方向における両側が開口されたリフレクターとを有する一対の発光体と、
前記発光体を挟んで前記回動軸の軸方向における両側にそれぞれ配置され前記光源から出射された光を反射する反射面をそれぞれ有する一対の反射体とを備え、
前記第１の回動位置において、前記各リフレクターの前記各開口の少なくとも一部が前記回動軸の軸方向においてそれぞれ前記各反射面に重なる状態にされ、
前記第２の回動位置における前記反射体の反射量が前記第１の回動位置における前記反射体の反射量より少なくされた
照明装置。
【請求項２】
前記第２の回動位置において、前記各リフレクターの前記各開口が前記回動軸の軸方向においてそれぞれ前記各反射面に重ならない状態にされた
請求項１に記載の照明装置。
【請求項３】
前記各発光体は前記各回動軸が最も接近して位置される第１の移動位置と前記各回動軸がその並び方向において最も離隔して位置される第２の移動位置との間でそれぞれ移動可能とされた
請求項１に記載の照明装置。
【請求項４】
前記第１の回動位置において、前記各リフレクターの前記各開口の全体が前記回動軸の軸方向においてそれぞれ前記各反射面に重なる状態にされた
請求項１に記載の照明装置。
【請求項５】
前記各回動軸と前記各光源が前記回動軸の軸方向に直交する方向においてそれぞれ離隔して配置された
請求項１に記載の照明装置。
【請求項６】
前記各光源がそれぞれ前記各回動軸上に位置された
請求項１に記載の照明装置。
【請求項７】
前記各発光体が同期して回動されるようにした
請求項１に記載の照明装置。
【請求項８】
被写体を撮影する装置本体と、
前記装置本体に着脱可能とされ又は内蔵され前記被写体を照明する照明装置とを備え、
前記照明装置は、
第１の回動位置と前記第１の回動位置より互いに離隔する第２の回動位置との間で平行に配置された各回動軸を支点としてそれぞれ回動可能とされると共にそれぞれ光を出射する光源と前記光源から出射された光を反射し前記回動軸の軸方向における両側が開口されたリフレクターとを有する一対の発光体と、
前記発光体を挟んで前記回動軸の軸方向における両側にそれぞれ配置され前記光源から出射された光を反射する反射面をそれぞれ有する一対の反射体とを備え、
前記第１の回動位置において、前記各リフレクターの前記各開口の少なくとも一部が前記回動軸の軸方向においてそれぞれ前記各反射面に重なる状態にされ、
前記第２の回動位置における前記反射体の反射量が前記第１の回動位置における前記反射体の反射量より少なくされた
撮像装置。
【発明の詳細な説明】
【技術分野】
【０００１】
本技術は照明装置及び撮像装置についての技術分野に関する。詳しくは、一対の発光体の回動位置に応じて一対の反射体の反射量を変化させることにより、照明領域の広角化を確保した上で広角領域の照明時における輝度ムラの低減を図る技術分野に関する。
【背景技術】
【０００２】
ビデオカメラやスチルカメラ等の撮像装置の装置本体に着脱可能とされ又は内蔵され被写体を照明するストロボやビデオライト等の照明装置がある。
【０００３】
上記のような照明装置には、光源と照明方向に開口され光源から出射された光を反射するリフレクターとをそれぞれ有する回動可能な一対の発光体を備えたものがある（例えば、特許文献１参照）。
【０００４】
特許文献１に記載された照明装置においては、一対の発光体を略同じ方向へ向けて照明を行うことにより、一つの発光体によって照明を行う場合に比し望遠領域の照明を明るくすることができる。また、一対の発光体を互いに反対方向へ回動させて開いた状態で照明を行うことにより、照明領域の広角化を図ることができる。
【０００５】
このように、特許文献１に記載された照明装置においては、所定の領域の照明を明るくすることができると共に広い範囲の照明を行うことができる。
【先行技術文献】
【特許文献】
【０００６】
【特許文献１】特開昭５４−５６２７９号公報
【発明の概要】
【発明が解決しようとする課題】
【０００７】
特許文献１に記載された照明装置においては、発光体のリフレクターが照明方向のみに開口されているので、各発光体から出射された光によってそれぞれ一定の大きさの略楕円形の配光パターンが形成される。
【０００８】
一対の発光体を略同じ方向へ向けて所定の領域（望遠領域）Ｒ１を照明する場合においては、図２０に示すように、それぞれ上下に位置する略楕円形の配光パターンＰ１、Ｐ２は望遠領域Ｒ１において大部分が重なった状態とされ、望遠領域Ｒ１に極端に暗くなる領域が存在せず輝度ムラが生じない。
【０００９】
これに対して、一対の発光体がそれぞれ略上下方向に回動されて望遠領域Ｒ１より上下方向に広い領域（広角領域）Ｒ２を照明する場合においては、図２１に示すように、望遠領域Ｒ１を照明する場合より配光パターンＰ１、Ｐ２がそれぞれ上下へ移動され、上下方向における中央部で一部のみ重なった状態とされる。従って、広角領域Ｒ２の上下方向における中央部の左右両端部Ｄ１、Ｄ１や左右両端部における上下両端部Ｄ２、Ｄ２が照明されず極端に暗い領域となり、広角領域Ｒ２において輝度ムラが生じてしまう。
【００１０】
そこで、本技術照明装置及び撮像装置は、上記した問題点を克服し、照明領域の広角化を確保した上で広角領域の照明時における輝度ムラの低減を図ることを課題とする。
【課題を解決するための手段】
【００１１】
第１に、照明装置は、上記した課題を解決するために、第１の回動位置と前記第１の回動位置より互いに離隔する第２の回動位置との間で平行に配置された各回動軸を支点としてそれぞれ回動可能とされると共にそれぞれ光を出射する光源と前記光源から出射された光を反射し前記回動軸の軸方向における両側が開口されたリフレクターとを有する一対の発光体と、前記発光体を挟んで前記回動軸の軸方向における両側にそれぞれ配置され前記光源から出射された光を反射する反射面をそれぞれ有する一対の反射体とを備え、前記第１の回動位置において、前記各リフレクターの前記各開口の少なくとも一部が前記回動軸の軸方向においてそれぞれ前記各反射面に重なる状態にされ、前記第２の回動位置における前記反射体の反射量が前記第１の回動位置における前記反射体の反射量より少なくされたものである。
【００１２】
従って、照明装置にあっては、第２の回動位置に回動された発光体から出射された光が第１の回動位置に回動された発光体から出射された光より回動軸の軸方向に広がった状態で照明される。
【００１３】
第２に、上記した照明装置においては、前記第２の回動位置において、前記各リフレクターの前記各開口が前記回動軸の軸方向においてそれぞれ前記各反射面に重ならない状態にされることが望ましい。
【００１４】
第２の回動位置において、各リフレクターの各開口が回動軸の軸方向においてそれぞれ各反射面に重ならない状態にされることにより、第２の回動位置において発光体の光源から出射されリフレクターの左右両側の開口を通過した光の大部分が反射体の反射面で反射されない。
【００１５】
第３に、上記した照明装置においては、前記各発光体は前記各回動軸が最も接近して位置される第１の移動位置と前記各回動軸がその並び方向において最も離隔して位置される第２の移動位置との間でそれぞれ移動可能とされることが望ましい。
【００１６】
各発光体は各回動軸が最も接近して位置される第１の移動位置と各回動軸がその並び方向において最も離隔して位置される第２の移動位置との間でそれぞれ移動可能とされることにより、一対の反射体の間に位置されるリフレクターが反射体に対して移動される。
【００１７】
第４に、上記した照明装置においては、前記第１の回動位置において、前記各リフレクターの前記各開口の全体が前記回動軸の軸方向においてそれぞれ前記各反射面に重なる状態にされることが望ましい。
【００１８】
第１の回動位置において、各リフレクターの各開口の全体が回動軸の軸方向においてそれぞれ各反射面に重なる状態にされることにより、第１の回動位置において発光体の光源から出射されリフレクターの左右両側の開口を通過した光の大部分が反射体の反射面で反射される。
【００１９】
第５に、上記した照明装置においては、前記各回動軸と前記各光源が前記回動軸の軸方向に直交する方向においてそれぞれ離隔して配置されることが望ましい。
【００２０】
各回動軸と各光源が回動軸の軸方向に直交する方向においてそれぞれ離隔して配置されることにより、発光体が回動したときの移動量を大きくしても発光体の回動角度を小さくすることが可能になる。
【００２１】
第６に、上記した照明装置においては、前記各光源がそれぞれ前記各回動軸上に位置されることが望ましい。
【００２２】
各光源がそれぞれ各回動軸上に位置されることにより、第１の回動位置から第２の回動位置まで回動されるときの発光体が回動したときの移動量が小さくなる。
【００２３】
第７に、上記した照明装置においては、前記各発光体が同期して回動されるようにすることが望ましい。
【００２４】
各発光体が同期して回動されるようにすることにより、発光体の回動位置に拘わらず一対の発光体により照明される中心部がずれない。
【００２５】
第８に、撮像装置は、上記した課題を解決するために、被写体を撮影する装置本体と、前記装置本体に着脱可能とされ又は内蔵され前記被写体を照明する照明装置とを備え、前記照明装置は、第１の回動位置と前記第１の回動位置より互いに離隔する第２の回動位置との間で平行に配置された各回動軸を支点としてそれぞれ回動可能とされると共にそれぞれ光を出射する光源と前記光源から出射された光を反射し前記回動軸の軸方向における両側が開口されたリフレクターとを有する一対の発光体と、前記発光体を挟んで前記回動軸の軸方向における両側にそれぞれ配置され前記光源から出射された光を反射する反射面をそれぞれ有する一対の反射体とを備え、前記第１の回動位置において、前記各リフレクターの前記各開口の少なくとも一部が前記回動軸の軸方向においてそれぞれ前記各反射面に重なる状態にされ、前記第２の回動位置における前記反射体の反射量が前記第１の回動位置における前記反射体の反射量より少なくされたものである。
【００２６】
従って、撮像装置にあっては、第２の回動位置に回動された発光体から出射された光が第１の回動位置に回動された発光体から出射された光より回動軸の軸方向に広がった状態で照明される。
【発明の効果】
【００２７】
本技術照明装置及び撮像装置は、第２の回動位置に回動された発光体から出射された光は第１の回動位置に回動された発光体から出射された光より回動軸の軸方向に広がった状態で照明されるので、照明領域の広角化を確保した上で広角領域の照明時における輝度ムラの低減を図ることができる。
【発明を実施するための形態】
【００２８】
以下に、本技術照明装置及び撮像装置を実施するため最良の形態を添付図面を参照して説明する。
【００２９】
以下に示した最良の形態は、本技術撮像装置をスチルカメラに適用し、本技術照明装置をこのスチルカメラに内蔵され又は着脱可能とされたストロボに適用したものである。
【００３０】
但し、本技術の適用範囲はスチルカメラ及びこのスチルカメラに内蔵され又は着脱可能とされたストロボに限られることはない。本技術撮像装置は、例えば、ビデオカメラや各種の機器に組み込まれるカメラ等の各種の撮像装置に広く適用することができ、本技術照明装置は、例えば、これらの各種の撮像装置に内蔵され又は着脱可能とされたストロボやビデオライト等の各種の照明装置に広く適用することができる。
【００３１】
以下の説明にあっては、撮像装置（スチルカメラ）の撮影時において撮影者から見た方向で前後上下左右の方向を示すものとする。従って、被写体側が前方となり、撮影者側が後方となる。
【００３２】
なお、以下に示す前後上下左右の方向は説明の便宜上のものであり、本技術の実施に関しては、これらの方向に限定されることはない。
【００３３】
＜第１の実施の形態＞
［撮像装置の構成］
撮像装置（スチルカメラ）１は、図１に示すように、被写体を撮影する装置本体２と、装置本体２に内蔵され被写体を照明する照明装置（ストロボ）３とから成る。
【００３４】
装置本体２は本体部４と本体部４の略中央部に配置されたレンズ鏡筒部５とから成る。
【００３５】
本体部４は外筐６の内外に所要の各部が配置されて成り、上面に撮影用ボタン等の操作部７が配置されている。本体部４の後面には図示しない各種の操作部や表示パネル等が配置されている。
【００３６】
レンズ鏡筒部５は撮像レンズ８を含む各種のレンズ又はレンズ群を有している。
【００３７】
［照明装置の構成］
照明装置３は、図２に示すように、ケース９と、ケース９の内部に配置されそれぞれ回動可能な一対の発光体１０、１０と、発光体１０、１０を回動させる回動機構１１と、発光体１０、１０を挟んで左右両側にそれぞれ配置された一対の反射体１２、１２とを備えている。
【００３８】
ケース９は装置本体２の内部に配置され、前面部が透光性を有する部材により形成されている。
【００３９】
発光体１０、１０は、例えば、上下に並んで配置されている。発光体１０は、図３乃至図５に示すように、ベース体１３と光を出射する光源１４と光源１４から出射された光を反射するリフレクター１５とを有している。
【００４０】
ベース体１３は前方及び左右両側が開口されたベース部１６と、ベース部１６の後面からそれぞれ左右に離隔して後方へ突出された二つの突部１７、１７とから成る。突部１７、１７にはそれぞれ左右に貫通された挿通孔１７ａ、１７ａが形成されている。
【００４１】
光源１４はベース部１６の内側において左右方向に延びる状態で配置されている。光源１４としては、例えば、キセノンランプが用いられている。
【００４２】
リフレクター１５は前方及び左右両側が開口され、内面が光反射面１５ａとして形成されている。リフレクター１５はベース部１６の内面に沿う状態で配置されている。
【００４３】
なお、上記には、リフレクター１５がベース部１６とは別体で形成された例を示したが、例えば、ベース部の内面を反射面に形成し、この反射面をリフレクターとして設けてもよい。このように、ベース部の内面をリフレクターとして設けることにより、リフレクターがベース部に一体に設けられ、部品点数の削減を図ることができる。
【００４４】
回動機構１１は左右方向に延びる回動軸１８、１８と、回動軸１８、１８にそれぞれ固定された回動ギア１９、１９と、一方の回動ギア１９に噛合された駆動ギア２０とを有している。
【００４５】
なお、回動機構１１は照明装置３の一部を構成してもよく、また、照明装置３とは異なる構成であってもよい。
【００４６】
回動軸１８、１８はベース体１３、１３の挿通孔１７ａ、１７ａ、・・・にそれぞれ挿通され、発光体１０、１０に固定されている。即ち、回動軸１８、１８は上下方向において平行に配置されている。回動軸１８は、例えば、ケース９に回動自在に支持されている。従って、発光体１０は回動軸１８を支点として回動可能とされている。
【００４７】
回動ギア１９、１９は噛合されており、互いに反対方向へ回転される。
【００４８】
駆動ギア２０は図示しない駆動モーターの駆動力によって回転される。
【００４９】
発光体１０、１０は回動機構１１により照明方向が略正面である第１の回動位置（図３乃至図５参照）と第１の回動位置における照明領域より広角な領域を照明する第２の回動位置（図６及び図７参照）との間でそれぞれ回動可能とされている。
【００５０】
照明装置３において、駆動ギア２０が一方に回動されると、発光体１０、１０は互いに離隔する方向へ回動される。即ち、上側に配置された発光体１０は回動軸１８を支点としてリフレクター１５の前側の開口１５ｂが上方を向く方向へ回動され、下側に配置された発光体１０は回動軸１８を支点としてリフレクター１５の前側の開口１５ｂが下方を向く方向へ回動され、発光体１０、１０が第２の回動位置に回動される。
【００５１】
一方、駆動ギア２０が他方に回動されると、発光体１０、１０は互いに接近する方向へ回動される。即ち、発光体１０、１０はそれぞれ回動軸１８、１８を支点としてリフレクター１５の前側の開口１５ｂ、１５ｂが正面を向く方向へ回動されて発光体１０、１０が第１の回動位置に回動される。
【００５２】
上記したように、照明装置３にあっては、発光体１０、１０が同期して回動されるので、発光体１０、１０の回動位置に拘わらず一対の発光体１０、１０により照明される中心部がずれることがなく良好な照明状態を確保することができる。
【００５３】
なお、上記では、回動機構１１がギアの組み合わせにより発光体１０、１０を回動するように構成された例を示したが、回動機構はリンクやカム等の各種の部材が用いられて発光体１０、１０を回動させるように構成されていてもよい。
【００５４】
反射体１２、１２は、例えば、略矩形の板状に形成され、ケース９に固定されている。左右に配置された反射体１２、１２は反射面１２ａ、１２ａを有し、反射面１２ａ、１２ａがそれぞれ前斜め右方と前斜め左方を向いた状態で配置されている。反射体１２、１２は前後方向における長さがリフレクター１５の左右両側の開口１５ｃ、１５ｃ、・・・の前後方向における長さと略同じにされている。
【００５５】
第１の回動位置において、発光体１０、１０はリフレクター１５、１５の左右両側の開口１５ｃ、１５ｃ、・・・の略半分が左右方向において、例えば、それぞれ反射体１２、１２の反射面１２ａ、１２ａに重なる状態にされている（図４参照）。
【００５６】
なお、上記には、第１の回動位置においてリフレクター１５、１５の左右両側の開口１５ｃ、１５ｃ、・・・の略半分がそれぞれ反射面１２ａ、１２ａに重なる状態にされた例を示したが、第１の回動位置においてリフレクター１５、１５の左右両側の開口１５ｃ、１５ｃ、・・・の少なくとも一部が左右方向においてそれぞれ反射面１２ａ、１２ａに重なる状態にされていればよい。
【００５７】
第２の回動位置において、発光体１０、１０はリフレクター１５、１５の左右両側の開口１５ｃ、１５ｃ、・・・の全体が左右方向においてそれぞれ反射体１２、１２の反射面１２ａ、１２ａに重ならない状態にされている（図７参照）。
【００５８】
上記のように構成された照明装置３において、望遠の撮影時には発光体１０、１０が第１の回動位置に回動されて望遠の領域が照明される。また、広角の撮影時には発光体１０、１０が第２の回動位置に回動されて望遠の領域より広角な領域が照明される。
【００５９】
［照明装置の照明状態］
以下に、上記のように構成された照明装置３の照明状態について説明する（図４、図７乃至図１０参照）。
【００６０】
発光体１０、１０が照明方向が略正面である第１の回動位置に回動されると、望遠の撮影時に対応する領域Ｒ１が照明される（図８参照）。このとき、光源１４、１４から出射された光の一部がそれぞれリフレクター１５、１５の光反射面１５ａ、１５ａで反射されて前方が照明される。
【００６１】
また、上記したように、第１の回動位置において、発光体１０、１０はそれぞれ左右方向においてリフレクター１５、１５の左右両側の開口１５ｃ、１５ｃ、・・・の略半分が反射体１２、１２の反射面１２ａ、１２ａに重なる状態にされている（図４参照）。
【００６２】
従って、光源１４、１４から出射されリフレクター１５、１５の左右両側の開口１５ｃ、１５ｃ、・・・を通過した光の一部が反射体１２、１２の反射面１２ａ、１２ａで反射されて、左右方向に広がらずに領域Ｒ１に集光される（図８参照）。
【００６３】
上記のように、第１の回動位置に回動された発光体１０、１０の光源１４、１４から出射された光によって領域Ｒ１を照射する配光パターンＰ１、Ｐ２が形成される。配光パターンＰ１、Ｐ２は領域Ｒ１において大部分が重なった状態とされ、左右方向における長さがそれぞれ領域Ｒ１の左右方向における長さより少し長い状態とされている。
【００６４】
従って、配光パターンＰ１及び配光パターンＰ２により領域Ｒ１の全領域が照明され、領域Ｒ１に極端に暗くなる領域が存在せず輝度ムラが生じない。
【００６５】
また、光源１４、１４から出射された光が反射体１２、１２の反射面１２ａ、１２ａで反射されて領域Ｒ１に集光されることにより、領域Ｒ１における光量を増加させることができ、領域Ｒ１を明るく照明することができる。
【００６６】
一方、発光体１０、１０が回動機構１１により第１の回動位置から互いに離隔するように第２の回動位置に回動されると、領域Ｒ１より上下方向に広い画角の広角の撮影時に対応する領域Ｒ２が照明される（図９参照）。このとき、光源１４、１４から出射された光の一部がリフレクター１５、１５の光反射面１５ａ、１５ａで反射されて前方、前斜め上方及び前斜め下方が照明される。
【００６７】
また、上記したように、第２の回動位置において、発光体１０、１０はそれぞれ左右方向においてリフレクター１５、１５の左右両側の開口１５ｃ、１５ｃ、・・・の全体が反射体１２、１２の反射面１２ａ、１２ａに重ならない状態にされている（図７参照）。
【００６８】
従って、光源１４、１４から出射されリフレクター１５、１５の左右両側の開口１５ｃ、１５ｃ、・・・を通過した光の大部分が反射体１２、１２の反射面１２ａ、１２ａで反射されずに左右方向に広がった状態で領域Ｒ２に照明される。
【００６９】
上記のように、第２の回動位置に回動された発光体１０、１０の光源１４、１４から出射された光によって領域Ｒ２を照射する配光パターンＰ３、Ｐ４が形成される。配光パターンＰ３、Ｐ４は領域Ｒ１における配光パターンＰ１、Ｐ２の位置よりそれぞれ上下へ移動され、配光パターンＰ３の下端部と配光パターンＰ４の上端部とが重なった状態とされている。また、配光パターンＰ３、Ｐ４は左右方向における長さがそれぞれ配光パターンＰ１、Ｐ２の左右方向における長さより長い状態とされ、領域Ｒ２の左右方向における長さよりかなり長い状態とされている。
【００７０】
従って、配光パターンＰ３及び配光パターンＰ４により領域Ｒ２の全領域が照明され、上下方向に広い画角の領域Ｒ２に極端に暗くなる領域が存在せず輝度ムラの発生を防止することができる。
【００７１】
また、上記したように、回動軸１８、１８と光源１４、１４が前後方向においてそれぞれ離隔して配置されている。即ち、回動軸１８、１８と光源１４、１４が回動軸１８、１８の軸方向に直交する方向においてそれぞれ離隔して配置されている。
【００７２】
このように、回動軸１８、１８から光源１４、１４まで一定の距離が存在するので、発光体１０、１０の上下方向における移動量を大きくしても発光体１０、１０の回動角度を小さくすることが可能である。従って、発光体１０、１０によって必要とされる画角の範囲の照明を確保した上で各回動位置におけるリフレクター１５、１５の左右両側の開口１５ｃ、１５ｃ、・・・と反射体１２、１２の反射面１２ａ、１２ａとが重なる面積の調整の自由度の向上を図ることができる。
【００７３】
なお、上記には、照明装置３において、回動軸１８、１８と光源１４、１４が回動軸１８、１８の軸方向に直交する方向においてそれぞれ離隔して配置された例を示したが、図１０に示すように、光源１４、１４がそれぞれ回動軸１８、１８上に位置されるような照明装置３Ａを構成することも可能である。照明装置３Ａにおいては、発光体１０Ａ、１０Ａのベース体１３Ａ、１３Ａはベース部１６、１６のみによって構成されており、突部１７、１７、・・・は設けられていない。
【００７４】
このように、光源１４、１４が回動軸１８、１８上に位置された照明装置３Ａにあっては、ベース体１３Ａ、１３Ａに突部１７、１７、・・・を設ける必要がないので、照明方向における長さを短くすることができる。また、第１の回動位置から第２の回動位置まで回動されるときの発光体１０Ａ、１０Ａの上下方向における移動量が小さいので、小型化を図ることができる。
【００７５】
＜第２の実施の形態＞
以下に、第２の実施の形態に係る照明装置について説明する（図１１乃至図１４参照）。
【００７６】
なお、以下に示す第２の実施の形態に係る照明装置は、上記した照明装置３と比較して、反射体の大きさが相違すること及び発光体１０、１０が移動可能かつ回動可能であることが相違する。従って、第２の実施の形態に係る照明装置については、照明装置３と比較して異なる部分についてのみ詳細に説明をし、その他の部分については照明装置３における同様の部分に付した符号を付して説明は省略する。
【００７７】
［照明装置の構成］
照明装置３Ｂは、図１１に示すように、ケース９と、ケース９の内部に配置されそれぞれ回動可能かつ移動可能な一対の発光体１０、１０と、発光体１０、１０を挟んで左右両側にそれぞれ配置された一対の反射体１２Ｂ、１２Ｂと、発光体１０、１０を回動させると共に上下方向へ移動させる駆動機構２１とを備えている。
【００７８】
駆動機構２１は左右方向に延びる支軸２２と、支軸２２に左右に離隔した状態で固定されたカム２３、２３と、左右方向に延びる回動軸２４、２４と、発光体１０、１０を挟んで左右両側にそれぞれ配置されたガイド２５、２５と、上下に並んで位置された支持部材２６、２６と、支持部材２６、２６に両端部が支持された引張バネ２７とを有している。
【００７９】
支軸２２は発光体１０、１０の上下に位置する突部１７、１７、・・・間に配置され、図示しない駆動モーターの駆動力によって回転される。
【００８０】
カム２３、２３は発光体１０、１０の上側の突部１７、１７の下面と下側の突部１７、１７の上面とに接触されている。カム２３は左右方向に延びる柱状に形成され、外周面が互いに反対方向を向く平面２３ａ、２３ａと平面２３ａ、２３ａに連続された円弧面２３ｂ、２３ｂとから成る（図１２参照）。カム２３は平面２３ａ、２３ａ間の距離が円弧面２３ｂ、２３ｂ間の距離より短くされている。
【００８１】
回動軸２４、２４はベース体１３、１３の挿通孔１７ａ、１７ａ、・・・にそれぞれ挿通され、発光体１０、１０に固定されている。即ち、回動軸２４、２４は上下方向において平行に配置されている。
【００８２】
ガイド２５は左右方向を向く縦長の板状に形成されている。ガイド２５には上下方向に延びるガイド孔２５ａが形成されている。ガイド孔２５ａ、２５ａには回動軸２４、２４の両端部がそれぞれ摺動可能な状態で挿通され、ガイド２５、２５により回動軸２４、２４が上下方向に案内される。
【００８３】
支持部材２６、２６は発光体１０、１０の左右に離隔した突部１７、１７、・・・間にそれぞれ固定されている。
【００８４】
発光体１０、１０は引張バネ２７によって上下方向において互いに接近する方向へ付勢されている。発光体１０、１０は上下方向において最も接近して位置される第１の移動位置（図１２参照）と上下方向において最も離隔して位置される第２の移動位置（図１３参照）との間で移動可能とされている。
【００８５】
第１の移動位置において、カム２３は平面２３ａ、２３ａが上下方向を向く状態とされており、平面２３ａ、２３ａ、・・・が発光体１０、１０の上側の突部１７、１７の下面と下側の突部１７、１７の上面とに接触されている。
【００８６】
発光体１０、１０が第１の移動位置（図１２参照）にある状態においては第１の回動位置の状態にある。
【００８７】
第１の移動位置かつ第１の回動位置においては、発光体１０、１０はリフレクター１５、１５の左右両側の開口１５ｃ、１５ｃ、・・・の全体が左右方向においてそれぞれ反射体１２Ｂ、１２Ｂの反射面１２ａ、１２ａに重なる状態にされている。
【００８８】
第１の移動位置において、カム２３、２３が一方へ回動されていくと、発光体１０、１０が第２の移動位置へ向けて第１の回動位置の状態が保持されたまま引張バネ２７の付勢力に反して互いに離隔する方向へ移動されていく。即ち、上側に配置された発光体１０は、突部１７、１７がカム２３、２３の円弧面２３ｂ、２３ｂに摺動されて押し上げられ回動軸２４、２４がガイド２５、２５に案内されて上方へ移動されていく。下側に配置された発光体１０は、突部１７、１７がカム２３、２３の円弧面２３ｂ、２３ｂに摺動されて押し下げられ回動軸２４、２４がガイド２５、２５に案内されて下方へ移動されていく。
【００８９】
このように発光体１０、１０が上下方向において互いに離隔するように移動されていくと、回動軸２４、２４がそれぞれガイド２５、２５のガイド孔２５ａ、２５ａの上下両端部に達して移動が規制され、発光体１０、１０が第２の移動位置に移動される（図１３参照）。このとき、発光体１０、１０はリフレクター１５の前側の開口１５ｂ、１５ｂが正面を向く第１の回動位置の状態とされている。
【００９０】
カム２３、２３は引き続き同じ方向へ回動される。カム２３、２３が引き続き回動されるときには、回動軸２４、２４がガイド２５、２５により上下方向への移動が規制された状態で突部１７、１７、・・・がカム２３、２３の円弧面２３ｂ、２３ｂに摺動されて押し上げられ又は押し下げられる。従って、上側に配置された発光体１０は回動軸２４を支点としてリフレクター１５の前側の開口１５ｂが上方を向く方向へ回動され、下側に配置された発光体１０は回動軸２４を支点としてリフレクター１５の前側の開口１５ｂが下方を向く方向へ回動される。
【００９１】
このようにカム２３、２３が回動されていくと、カム２３の平面２３ａ、２３ａが前後方向を向く状態となり、発光体１０、１０が第２の回動位置に回動される（図１４参照）。
【００９２】
第２の移動位置かつ第２の回動位置においては、発光体１０、１０はリフレクター１５、１５の左右両側の開口１５ｃ、１５ｃ、・・・の全体が左右方向においてそれぞれ反射体１２Ｂ、１２Ｂの反射面１２ａ、１２ａに重ならない状態にされている。
【００９３】
一方、第２の回動位置においてカム２３、２３が他方へ回動されていくと、発光体１０、１０が回動軸２４、２４を支点として回動され、引張バネ２７の付勢力によって互いに接近する方向へ第１の回動位置（第２の移動位置）まで回動される（図１３参照）。
【００９４】
第２の移動位置において、さらにカム２３、２３が他方へ回動されていくと、発光体１０、１０が第１の回動位置の状態が保持されたまま引張バネ２７の付勢力によって互いに接近する方向へ第１の移動位置まで移動される（図１２参照）。
【００９５】
上記のように構成された照明装置３Ｂにあっては、望遠の撮影時に発光体１０、１０が第１の移動位置かつ第１の回動位置において望遠の領域を照明する。また、広角の撮影時に発光体１０、１０が第２の移動位置かつ第２の回動位置において望遠の領域より広角な領域を照明する。
【００９６】
なお、上記には、駆動機構２１がカムや引張バネ等の部材により発光体１０、１０の移動と回動を各別に行うように構成された例を示したが、駆動機構はリンクやギア等の各種の部材が用いられて発光体１０、１０の移動と回動を同時に行うように構成されていてもよい。
【００９７】
上記したように、発光体１０、１０は上下方向において最も接近して位置される第１の移動位置（図１２参照）と上下方向において最も離隔して位置される第２の移動位置（図１３参照）との間でそれぞれ移動可能とされている。
【００９８】
従って、反射体１２Ｂ、１２Ｂの間に位置されるベース体１３、１３とリフレクター１５、１５が反射体１２Ｂ、１２Ｂに対して移動されるため、発光体１０、１０の回動角度を大きくすることなくリフレクター１５、１５の左右両側の開口１５ｃ、１５ｃ、・・・と反射体１２Ｂ、１２Ｂの反射面１２ａ、１２ａとが重なる面積の調整の自由度の向上を図ることができる。
【００９９】
［照明装置の照明状態］
以下に、上記のように構成された照明装置３Ｂの照明状態について説明する。
【０１００】
上記したように、第１の移動位置かつ第１の回動位置において、望遠の撮影時に対応する領域Ｒ１が照明され、発光体１０、１０はリフレクター１５、１５の左右両側の開口１５ｃ、１５ｃ、・・・の全体が左右方向においてそれぞれ反射体１２Ｂ、１２Ｂの反射面１２ａ、１２ａに重なる状態にされている（図１２参照）。
【０１０１】
従って、光源１４、１４から出射されリフレクター１５、１５の左右両側の開口１５ｃ、１５ｃ、・・・を通過した光の大部分が反射体１２Ｂ、１２Ｂの反射面１２ａ、１２ａで反射されて左右方向に大きく広がらずに領域Ｒ１に集光されるので、望遠時の照明の光量を一層増加させることができる。
【０１０２】
一方、第２の移動位置かつ第２の回動位置において、領域Ｒ１より上下方向に広い画角の広角の撮影時に対応する領域Ｒ２が照明され、発光体１０、１０はリフレクター１５、１５の左右両側の開口１５ｃ、１５ｃ、・・・の全体が左右方向においてそれぞれ反射体１２Ｂ、１２Ｂの反射面１２ａ、１２ａに重ならない状態にされている（図１４参照）。
【０１０３】
従って、光源１４、１４から出射されリフレクター１５、１５の左右両側の開口１５ｃ、１５ｃ、・・・を通過した光の大部分が反射体１２Ｂ、１２Ｂの反射面１２ａ、１２ａで反射されずに左右方向に広がった状態で領域Ｒ２に照明されるので、領域Ｒ２に極端に暗くなる領域が存在せず輝度ムラの発生を防止することができる。
【０１０４】
なお、上記には、照明装置３、３Ａ、３Ｂにおいて、第２の回動位置において発光体１０、１０、１０Ａ、１０Ａはリフレクター１５、１５の左右両側の開口１５ｃ、１５ｃ、・・・の全体が左右方向においてそれぞれ反射体１２、１２、１２Ｂ、１２Ｂの反射面１２ａ、１２ａに重ならない状態とされる例を示した。しかしながら、発光体はリフレクター１５、１５の左右両側の開口１５ｃ、１５ｃ、・・・の全体が左右方向においてそれぞれ反射体の反射面に重ならない構成に限られることはない。第２の回動位置における反射体の反射量が第１の回動位置における反射体の反射量より少なければ、発光体はリフレクター１５、１５の左右両側の開口１５ｃ、１５ｃ、・・・の一部が左右方向においてそれぞれ反射体の反射面に重なる状態であってもよい。
【０１０５】
また、上記には、照明装置３、３Ａ、３Ｂにおいて、発光体１０、１０、１０Ａ、１０Ａが上下方向に離隔して配置されて左右方向に延びる回動軸１８、１８、２４、２４を支点として回動される例を示したが、発光体は上下方向に離隔して配置されて左右方向に延びる回動軸を支点として回動される構成に限られることはない。例えば、発光体が左右方向に離隔して配置されて上下方向に延びる回動軸を支点として回動されるように構成されていてもよい。
【０１０６】
さらにまた、上記には、照明装置３、３Ａ、３Ｂが撮像装置１の装置本体２に内蔵される例を示したが、図１５に示す照明装置３Ｃのように、撮像装置１の装置本体２に着脱可能なタイプであってもよい。
【０１０７】
［照明状態のデータ］
以下に、照明装置３の照明状態のデータについて従来の照明装置の照明状態のデータと比較して説明する（図１６乃至図１９参照）。
【０１０８】
図１６乃至図１９は照明装置３又は従来の照明装置の発光体によって照明されたときの配光の状態を示すデータである。実線が左右方向の配光を示し、一点鎖線が上下方向の配光を示す。角度は正面を０度として正面から左右方向又は上下方向への角度を示す。上下方向に並ぶ数値は正面における露光量からのＥＶ（Exposure Value）値を示している。
【０１０９】
図１６は、照明装置３において、第１の回動位置に回動された発光体１０、１０によって照明されたときの配光の状態を示すデータである。一方、図１７は、従来の照明装置において、第１の回動位置に回動された一対の発光体によって照明されたときの配光の状態を示すデータである。
【０１１０】
第１の回動位置における上下方向の配光について、図１６及び図１７に示すように、照明装置３は０度から約１５度の角度までＥＶ値が略０の状態が続き、約２０度の角度以上においてＥＶ値が急激に低下する。同様に、従来の照明装置も０度から約１５度の角度までＥＶ値が略０の状態が続き、２０度の角度以上においてＥＶ値が急激に低下する。従って、照明装置３にあっては、望遠領域を照明する状態において、上下方向に関し、従来の照明装置と同様の照明状態が確保される。
【０１１１】
また、第１の回動位置における左右方向の配光について、図１６及び図１７に示すように、照明装置３は角度が大きくなるに従ってＥＶ値が０から徐々に低下する。照明装置３は正面から左右方向に行くに従って徐々に明るさが低下するように照明される。一方、従来の照明装置は０度から約１５度の角度までＥＶ値が略０の状態が続き、約３０度の角度以上においてＥＶ値が急激に低下する。従って、照明装置３は、従来の照明装置と比較して、左右方向に広い角度の領域を照明する。この理由としては、照明装置３は、第１の回動位置においてリフレクター１５、１５の左右両側の開口１５ｃ、１５ｃ、・・・の略半分が左右方向においてそれぞれ反射体１２、１２の反射面１２ａ、１２ａに重なる状態にされ（図４参照）、反射体１２、１２の反射面１２ａ、１２ａで反射される光量が少ないことが考えられる。
【０１１２】
従って、上記した照明装置３Ｂのように、第１の移動位置かつ第１の回動位置において、リフレクター１５、１５の左右両側の開口１５ｃ、１５ｃ、・・・の全体を左右方向においてそれぞれ反射体１２Ｂ、１２Ｂの反射面１２ａ、１２ａに重なる状態にすることにより、左右方向においても従来の照明装置と同様の照明状態を確保することが可能である。
【０１１３】
図１８は、照明装置３において、第２の回動位置に回動された発光体１０、１０によって照明されたときの配光の状態を示すデータである。一方、図１９は、従来の照明装置において、第２の回動位置に回動された一対の発光体によって照明されたときの配光の状態を示すデータである
第２の回動位置における上下方向の配光について、図１８及び図１９に示すように、照明装置３は０度から約４０度の角度までＥＶ値が略０の状態が続き、約４０度の角度以上においてＥＶ値が急激に低下する。同様に、従来の照明装置は０度から約４５度の角度までＥＶ値が略０の状態が続き、約４５度の角度以上においてＥＶ値が急激に低下する。従って、照明装置３にあっては、広角領域を照明する状態において、上下方向に関し、従来の照明装置と同様の照明状態が確保される。
【０１１４】
また、第２の回動位置における左右方向の配光について、図１８及び図１９に示すように、照明装置３は角度が大きくなるに従ってＥＶ値が０から徐々に低下する。一方、従来の照明装置は角度が大きくなるに従ってＥＶ値が、照明装置３と比較して、０から急激に低下する。従って、照明装置３にあっては、従来の照明装置と比較して、広角領域を照明する状態において左右方向に広い角度の領域を照明する。
【０１１５】
上記した通り、照明装置３にあっては、広角領域を照明する状態において、従来の照明装置よりも左右方向に広い角度の領域を照明するという結果が得られた。従って、照明装置３にあっては、図９に示すように、左右に長い配光パターンＰ３、配光パターンＰ４を形成し、配光パターンＰ３及び配光パターンＰ４によって領域Ｒ２の全領域を照明することにより領域Ｒ２に極端に暗くなる領域が存在しなくなり、輝度ムラの発生を防止することができることが証明された。
【０１１６】
［まとめ］
以上に記載した通り、照明装置３、３Ａ、３Ｂ、３Ｃにあっては、第２の回動位置における反射体１２、１２、１２Ｂ、１２Ｂの反射量が第１の回動位置における反射体１２、１２、１２Ｂ、１２Ｂの反射量より少なくされている。
【０１１７】
従って、第２の回動位置に回動された発光体１０、１０、１０Ａ、１０Ａから出射された光が第１の回動位置に回動された発光体１０、１０、１０Ａ、１０Ａから出射された光より左右方向に広がった状態で照明されるので、照明領域の広角化を確保した上で広角領域の照明時における輝度ムラの低減を図ることができる。
【０１１８】
また、上記したように、第２の回動位置において、リフレクター１５、１５の開口１５ｃ、１５ｃ、・・・が左右方向においてそれぞれ反射体１２、１２、１２Ｂ、１２Ｂの反射面１２ａ、１２ａに重ならない状態にされている。
【０１１９】
従って、第２の回動位置における反射体１２、１２、１２Ｂ、１２Ｂの反射量が一層少なくなるので、照明領域の広角化を確保した上で広角領域の照明時における輝度ムラを一層低減することができる。
【０１２０】
［本技術］
なお、本技術は以下のような構成とすることができる。
【０１２１】
（１）第１の回動位置と前記第１の回動位置より互いに離隔する第２の回動位置との間で平行に配置された各回動軸を支点としてそれぞれ回動可能とされると共にそれぞれ光を出射する光源と前記光源から出射された光を反射し前記回動軸の軸方向における両側が開口されたリフレクターとを有する一対の発光体と、前記発光体を挟んで前記回動軸の軸方向における両側にそれぞれ配置され前記光源から出射された光を反射する反射面をそれぞれ有する一対の反射体とを備え、前記第１の回動位置において、前記各リフレクターの前記各開口の少なくとも一部が前記回動軸の軸方向においてそれぞれ前記各反射面に重なる状態にされ、前記第２の回動位置における前記反射体の反射量が前記第１の回動位置における前記反射体の反射量より少なくされた照明装置。
【０１２２】
（２）前記第２の回動位置において、前記各リフレクターの前記各開口が前記回動軸の軸方向においてそれぞれ前記各反射面に重ならない状態にされた前記（１）に記載の照明装置。
【０１２３】
（３）前記各発光体は前記各回動軸が最も接近して位置される第１の移動位置と前記各回動軸がその並び方向において最も離隔して位置される第２の移動位置との間でそれぞれ移動可能とされた前記（１）又は前記（２）に記載の照明装置。
【０１２４】
（４）前記第１の回動位置において、前記各リフレクターの前記各開口の全体が前記回動軸の軸方向においてそれぞれ前記各反射面に重なる状態にされた前記（１）から前記（３）の何れかに記載の照明装置。
【０１２５】
（５）前記各回動軸と前記各光源が前記回動軸の軸方向に直交する方向においてそれぞれ離隔して配置された前記（１）から前記（４）の何れかに記載の照明装置。
【０１２６】
（６）前記各光源がそれぞれ前記各回動軸上に位置された前記（１）から前記（４）の何れかに記載の照明装置。
【０１２７】
（７）前記各発光体が同期して回動されるようにした前記（１）から前記（６）の何れかに記載の照明装置。
【０１２８】
（８）被写体を撮影する装置本体と、前記装置本体に着脱可能とされ又は内蔵され前記被写体を照明する照明装置とを備え、前記照明装置は、第１の回動位置と前記第１の回動位置より互いに離隔する第２の回動位置との間で平行に配置された各回動軸を支点としてそれぞれ回動可能とされると共にそれぞれ光を出射する光源と前記光源から出射された光を反射し前記回動軸の軸方向における両側が開口されたリフレクターとを有する一対の発光体と、前記発光体を挟んで前記回動軸の軸方向における両側にそれぞれ配置され前記光源から出射された光を反射する反射面をそれぞれ有する一対の反射体とを備え、前記第１の回動位置において、前記各リフレクターの前記各開口の少なくとも一部が前記回動軸の軸方向においてそれぞれ前記各反射面に重なる状態にされ、前記第２の回動位置における前記反射体の反射量が前記第１の回動位置における前記反射体の反射量より少なくされた撮像装置。
【０１２９】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１３０】
【図１】図２乃至図１９と共に本技術照明装置及び撮像装置の実施の形態を示すものであり、本図は、撮像装置の斜視図である。
【図２】照明装置の拡大斜視図である。
【図３】発光体が第１の回動位置に回動された状態を示す拡大正面図である。
【図４】発光体が第１の回動位置に回動された状態を示す拡大側面図である。
【図５】発光体が第１の回動位置に回動された状態を示す拡大平面図である。
【図６】発光体が第２の回動位置に回動された状態を示す拡大正面図である。
【図７】発光体が第２の回動位置に回動された状態を示す拡大側面図である。
【図８】図９と共に照明装置の照明状態を示す図であり、本図は、望遠の撮影時における照明状態を示す模式図である。
【図９】広角の撮影時における照明状態を示す模式図である。
【図１０】光源が回動軸上に位置された照明装置の拡大斜視図である。
【図１１】図１２乃至図１４と共に第２の実施形態に係る照明装置を示すものであり、本図は、照明装置の拡大斜視図である。
【図１２】発光体が第１の移動位置に位置された状態を示す拡大側面図である。
【図１３】発光体が第２の移動位置に位置され第１の回動位置に回動された状態を示す拡大側面図である。
【図１４】発光体が第２の移動位置に位置され第２の回動位置に回動された状態を示す拡大側面図である。
【図１５】照明装置が装置本体に着脱可能とされた撮像装置の斜視図である。
【図１６】図１７乃至図１９と共に照明装置又は従来の照明装置より照明されたときの配光の状態を示すデータであり、本図は、照明装置の第１の回動位置における配光の状態を示すデータである。
【図１７】従来の照明装置の第１の回動位置における配光の状態を示すデータである。
【図１８】照明装置の第２の回動位置における配光の状態を示すデータである。
【図１９】従来の照明装置の第２の回動位置における配光の状態を示すデータである。
【図２０】図２１と共に従来の照明装置の照明状態を示す図であり、本図は、望遠の撮影時における照明状態を示す模式図である。
【図２１】広角の撮影時における照明状態を示す模式図である。
【符号の説明】
【０１３１】
１…撮像装置、２…装置本体、３…照明装置、１０…発光体、１２…反射体、１２ａ…反射面、１４…光源、１５…リフレクター、１５ｃ…開口、１８…回動軸、３Ａ…照明装置、１０Ａ…発光体、３Ｂ…照明装置、１２Ｂ…反射体、２４…回動軸、３Ｃ…照明装置
【図１】
2013057724.tif 000003
【図２】
2013057724.tif 000004
【図３】
2013057724.tif 000005
【図４】
2013057724.tif 000006
【図５】
2013057724.tif 000007
【図６】
2013057724.tif 000008
【図７】
2013057724.tif 000009
【図８】
2013057724.tif 000010
【図９】
2013057724.tif 000011
【図１０】
2013057724.tif 000012
【図１１】
2013057724.tif 000013
【図１２】
2013057724.tif 000014
【図１３】
2013057724.tif 000015
【図１４】
2013057724.tif 000016
【図１５】
2013057724.tif 000017
【図１６】
2013057724.tif 000018
【図１７】
2013057724.tif 000019
【図１８】
2013057724.tif 000020
【図１９】
2013057724.tif 000021
【図２０】
2013057724.tif 000022
【図２１】
2013057724.tif 000023